(57)【要約】【課題】  調光機能を有し、かつ水面やガラス等からの反射光を遮る調光偏光レンズが、最も望ましい構成として望まれてきた。【解決手段】  偏光層の構成材料に、調光物質を含有させることにより、偏光層の遮光部が調光機能を有したことを特徴とする調光偏光レンズを提供する。【選択図】図１
2011227446.tif 000002
【特許請求の範囲】
【請求項１】
偏光層の構成材料に、調光物質を含有させることにより、偏光層の遮光部が調光機能を有したことを特徴とする調光偏光レンズ。
【請求項２】
スピロピラン系、及び／又はナフトピラン系、及び／又はフラン系、及び／又はスピロオキサジン系、及び／又はフルギド系、及び／又はクロメン系等の調光材料を溶剤と共に加熱し、偏光層の表面層に加熱浸透させることにより、調光材料を含有させたことを特徴とする請求項１記載の調光偏光レンズ。
【請求項３】
スピロピラン系、及び／又はナフトピラン系、及び／又はフラン系、及び／又はスピロオキサジン系、及び／又はフルギド系、及び／又はクロメン系等の調光材料を、偏光層の表面層に染色することにより、調光材料を含有させたことを特徴とする請求項１記載の調光偏光レンズ。
【請求項４】
スピロピラン系、及び／又はナフトピラン系、及び／又はフラン系、及び／又はスピロオキサジン系、及び／又はフルギド系、及び／又はクロメン系等の調光材料を溶剤と共に加熱し、更に加圧することにより、偏光層の表面層に加熱・加圧浸透させることにより、調光材料を含有させたことを特徴とする請求項１、又は請求項２記載の調光偏光レンズ。
【請求項５】
スピロピラン系、及び／又はナフトピラン系、及び／又はフラン系、及び／又はスピロオキサジン系、及び／又はフルギド系、及び／又はクロメン系等の調光材料を、レンズ本体に対しマスキング冶具を用い、遮光部と、透光部とが交互に構成されるように、真空蒸着、又はスパッタリング、又は化学的気層成長法（ＣＶＤ）等により、コーティングされることを特徴とする請求項１記載の調光偏光レンズ。
【発明の詳細な説明】
【技術分野】
【０００１】  本発明は、調光機能を有する偏光レンズに関する。
【背景技術】
【０００２】  従来より、アウトドアのレジャーや自動車運転時に使用するメガネとして、水面やガラス等からの反射光を遮るための偏光レンズや、又紫外線に当たると遮光効果を発揮する調光レンズが使用されてきている。【０００３】  しかるに、調光機能を有し、かつ水面やガラス等からの反射光を遮る調光偏光レンズが、最も望ましい構成として望まれてきた。【０００４】  通常、偏光レンズは、レンズ本体と偏光層により構成され、偏光層は、ポリビニールアルコール（ＰＶＡ）製等の材料で製作され、遮光性を与えるために、着色剤により着色した層を、一定方向に引っ張ることで、遮光部と透光部が交互に形成され、水面やガラス面からの反射光の一定方向、例えば上下方向の波動を大幅にカットし、反射光の影響を無くす性質を有している。【０００５】  この性質は自動車運転時には、ダッシュボードや窓ガラスの反射像を遮断し、又、魚釣りにおける水面の反射を遮り、水中の魚を見易くする等の優れた機能を有している。【０００６】  又、調光レンズとは、レンズに含有されたハロゲン化銀が、太陽の紫外線が当たると、銀とハロゲンの原子に分離することにより着色し、紫外線を除くと又結合して色が消えるという可逆反応を利用して、明るい場所では、サングラスのような働きをし、室内等では、透明になるという性質を有している。【０００７】  それらを組み合わせた調光機能を有する調光偏光レンズが最も望ましい構成として要望されてきた。【０００８】  そのため、偏光レンズの対物側、又は接眼側に調光レンズを張合せる張合せ構造のレンズが、提案されている。
しかるにこの張合わせ構造では、紫外線の当たる場所では、調光と偏光が二重に機能するため、遮光性が強くなりすぎる。【０００９】  逆に、室内においては、調光レンズによる遮光は、時間経過により弱まるが、偏光レンズの色彩による遮光効果が残るため、暗くなりすぎ、見えにくいという欠陥を有していた。
【発明の概要】
【発明が解決しようとする課題】
【００１０】  本発明は、これらの課題を解消する画期的な調光偏光レンズを提供するものである。
【課題を解決するための手段】
【００１１】  偏光層の構成材料に、調光物質を含有させることにより、偏光層の遮光部が調光機能を有したことを特徴とする調光偏光レンズを提供する。【００１２】  スピロピラン系、及び／又はナフトピラン系、及び／又はフラン系、及び／又はスピロオキサジン系、及び／又はフルギド系、及び／又はクロメン系等の調光材料を溶剤と共に加熱し、偏光層の表面層に加熱浸透させることにより、調光材料を含有させたことを特徴とする請求項１記載の調光偏光レンズを提供する。【００１３】  スピロピラン系、及び／又はナフトピラン系、及び／又はフラン系、及び／又はスピロオキサジン系、及び／又はフルギド系、及び／又はクロメン系等の調光材料を、偏光層の表面層に染色することにより、調光材料を含有させたことを特徴とする請求項１記載の調光偏光レンズを提供する。【００１４】  スピロピラン系、及び／又はナフトピラン系、及び／又はフラン系、及び／又はスピロオキサジン系、及び／又はフルギド系、及び／又はクロメン系等の調光材料を溶剤と共に加熱し、更に加圧することにより、偏光層の表面層に加熱・加圧浸透させることにより、調光材料を含有させたことを特徴とする請求項１、又は請求項２記載の調光偏光レンズを提供する。【００１５】  スピロピラン系、及び／又はナフトピラン系、及び／又はフラン系、及び／又はスピロオキサジン系、及び／又はフルギド系、及び／又はクロメン系等の調光材料を、レンズ本体に対しマスキング冶具を用い、遮光部と、透光部とが交互に構成されるように、真空蒸着、又はスパッタリング、又は化学的気層成長法（ＣＶＤ）等により、コーティングされることを特徴とする請求項１記載の調光偏光レンズを提供する。
【発明の効果】
【００１６】（１）遮光部３ａに、調光材料が含有されたことにより、紫外線の当たる屋外等においては、調光偏光層３の遮光部３ａに含有された調光材料により、光を遮るので、適度の遮光性能が得られる。【００１７】（２）紫外線のない室内等では、調光偏光層３の遮光部３ａが、紫外線の影響がなくなるので、透明に戻るため、全くの透明レンズと同等の明るさとなり、極めて見易いのである。
【図面の簡単な説明】
【００１８】
【図１】本発明実施例の断面図である。
【図２】本発明実施例の調光偏光層の模式図である。
【図３】従来の張合わせ形レンズの断面図である。
【図４】実施例４の調光偏光レンズの別の加工方法及び構造の断面図である。
【図５】マスキング冶具２３が設けられた断面図である。
【図６】調光材料を含有した蒸着ミスト２４が付着した状態図である。
【図７】図６の部分拡大断面図である。
【図８】図７の矢視Ａ−Ａのマスキング冶具２３の形状を示す正面図である。
【図９】別のマスキング冶具２３の形状を示す正面図である。
【図１０】保護層２６を設けた断面図である。
【発明を実施するための形態】
【００１９】  本発明は、発明の効果に前述した如く、調光機能を有する偏光レンズの画期的な構成を提供することができた。
【００２０】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例１】
【００２１】  以下、本発明の実施例について、図面を参照しながら説明する。
まず、従来例の張合わせ形レンズ１０を図３に示すと、レンズ本体１１の対物側、又は接眼側には、偏光層１２が設けてある。
今、レンズ本体１１の対物側に遮光層１２が配置されている場合で説明すると、保護層１３を通して、紫外線が調光レンズ１４にあたって、遮光効果を発揮した後、光は偏光層１２に入光する。
そのため、それぞれの遮光効果が重なるため大幅に暗くなるのである。
一方、室内においては、調光レンズ１４の遮光性は、暫くすると無くなるが、偏光層１２の遮光部１２ａの色彩により暗くなり、室内では見えにくいのである。【００２２】  本発明の実施例の断面図を図１に示す。【００２３】  前記調光偏光レンズ１は、レンズ本体２と、その対物側には、調光偏光層３が設けられており、該調光偏光層３の対物側には、保護層４が、接着等により設けられている。
もちろん、調光偏光層３は、レンズ本体２の接眼側に設けても同様の効果を発揮する。その場合は、保護層は接眼側に設けられる。
保護層に関しては、従来から用いられている、例えばポリカーボネイト製等の硬質の保護層を更に設けてもよい。【００２４】  図２は、本発明の調光機能を有する調光偏光層３の模式図を示す。
すなわち、調光偏光層３は、遮光部３ａと、透光部３ｂが、交互に構成されている。【００２５】  遮光部３ａに、調光材料が含有されたことにより、紫外線の当たる屋外等においては、調光偏光層３の遮光部３ａに含有された調光材料により、光を遮るので、適度の遮光性能が得られる。【００２６】  次に、紫外線のない室内等では、調光偏光層３の遮光部３ａが、紫外線の影響がなくなるので、透明に戻るため、全くの透明レンズと同等の明るさとなり、極めて見易いのである。【００２７】  次に、調光偏光層の加工であるが、偏光層の構成材料に、調光物質を含有させることにより、偏光層の遮光部が調光機能を有した調光偏光レンズを提供する。【００２８】  その詳細を述べると、スピロピラン系、及び／又はナフトピラン系、及び／又はフラン系、及び／又はスピロオキサジン系、及び／又はフルギド系、及び／又はクロメン系等の調光材料を溶剤と共に加熱し、偏光層の表面層に対し加熱浸透させると、調光材料を含有させたことができた。その層を引っ張り加工することにより遮光部３ａが、調光機能を有した調光偏光レンズを提供することが出来たのである。
【実施例２】
【００２９】  更に、望ましくは、スピロピラン系、及び／又はナフトピラン系、及び／又はフラン系、及び／又はスピロオキサジン系、及び／又はフルギド系、及び／又はクロメン系等の調光材料を溶剤と共に加熱し、更に加圧することにより、偏光層の表面層に加熱・加圧浸透させることにより、浸透力を強化することができ、遮光部３ａが、調光機能を有した調光偏光レンズを提供することが出来るのである。
【実施例３】
【００３０】  別の加工法としては、スピロピラン系、及び／又はナフトピラン系、及び／又はフラン系、及び／又はスピロオキサジン系、及び／又はフルギド系、及び／又はクロメン系等の調光材料を、偏光層の表面層に染色することにより、偏光層の表面層に対し染色効果により、調光材料を含有させたことができた。その層を引っ張り加工することにより遮光部３ａが、調光機能を有した調光偏光レンズを提供することが出来たのである。
【実施例４】
【００３１】    本発明の実施例４の調光偏光レンズの別の加工方法及び構造の断面図を図４に示す。
本実施例においては、調光偏光層の形成を、偏光層を引っ張ることなく形成させる画期的方法を提供するものである。【００３２】  調光偏光レンズ２１の形成方法として、レンズ本体２２に対し、マスキング冶具２３が対物側に設けられ図５に示す如く、密着される。【００３３】  次に、スピロピラン系、及び／又はナフトピラン系、及び／又はフラン系、及び／又はスピロオキサジン系、及び／又はフルギド系、及び／又はクロメン系等の調光材料を含有した蒸着ミスト２４が、例えば真空蒸着層内で、マスキング冶具２３の外側より噴霧される。又、抵抗加熱による真空蒸着、スパッタリング、更には、科学的気層成長法（ＣＶＤ）によりコーティングしてもよい。【００３４】  レンズ本体２２が変形しない１００℃を超えない温度を保ち、レンズ本体２２の表面に、マスキング冶具２３の開口部を通じて、蒸着ミスト２４がコーティングされ、マスキング冶具２３を外すと、図６に示すようにレンズ本体２２の表面に調光材料を含有した蒸着ミスト２４が付着し調光偏光層２５が形成される。【００３５】  図７は図６の部分拡大図を示すもので、遮光部３ａが幅ａで形成され、透光部３ｂが、幅ｂで交互に構成されている。調光偏光層２５の厚さｔは、ｔ＝０．００１ｍｍ〜０．３ｍｍで構成されている。【００３６】  図８、図９は、図７の矢視Ａ−Ａのマスキング冶具２３の形状を示すものである。
図８では、遮光部３ａの幅は、開口の幅ａで示され、開口の長さは、ｃで示される。
透光部３ｂは、幅ｂであり、この部分には調光偏光層２５がコーティングされないように構成される。マスキング冶具２３の強度を保持できる連結部は、連結幅ｄで示される。遮光部３ａは、図示のごとく千鳥配列することで連結部による透光の影響が出にくく構成される。【００３７】  図９は、形状の異なるものを示しており、開口の長さｃは、長く構成され
マスキング冶具２３の強度を保持できる最小限の連結を行った形状である。
次に図１０は、調光偏光層２５の対物側に保護層２６を設けた構造を示す。更に、通常行われているように保護層２６に加えて、反射防止コーティング、及び／又は高撥水コーティング、及び／又はＵＶカットコーティング等を設けてもよい。【００３８】  前述のように、調光偏光層２５は、遮光部３ａと、透光部３ｂが、交互に構成されており、遮光部３ａに、調光材料が含有されたことにより、紫外線の当たる屋外等においては、調光偏光層３の遮光部３ａに含有された調光材料により、光を遮るので、適度の遮光性能が得られるのである。【００３９】  同様に、紫外線のない室内等では、調光偏光層２５の遮光部３ａが、紫外線の影響がなくなるので、透明に戻るため、全くの透明レンズと同等の明るさとなり、極めて見易いのである。
【産業上の利用可能性】
【００４０】    本発明の構造により、従来の欠点のない調光偏光レンズが提供できるため、屋外では、遮光性を有し、屋内では透明になるという極めて優れた性能により新市場を形成できると共に、製作工程が減少するため安価に提供できるという経済効果を発揮することができ、産業の発展に大きく貢献することができる。
【符号の説明】
【００４１】  １、２１  調光偏光レンズ
２、２２  レンズ本体
３、２５  調光偏光層
３ａ      遮光部
３ｂ      透光部
４、２６  保護層
１０      従来の張合わせ形レンズ
１１      レンズ本体
１２      偏光層
１３      保護層
１４      調光レンズ
２３      マスキング冶具
２４      調光材料を含有した蒸着ミスト
ａ        遮光部の幅
ｂ        透光部の幅
ｃ        開口の長さ
ｄ        連結幅
【図１】
2011227446.tif 000003
【図２】
2011227446.tif 000004
【図３】
2011227446.tif 000005
【図４】
2011227446.tif 000006
【図５】
2011227446.tif 000007
【図６】
2011227446.tif 000008
【図７】
2011227446.tif 000009
【図８】
2011227446.tif 000010
【図９】
2011227446.tif 000011
【図１０】
2011227446.tif 000012